(57)【要約】【課題】装置の高さ方向の長さを短くしつつ、製品の頑丈さを一定の基準で満たす。【解決手段】光ディスクドライブ装置１０は、光ディスク１００がセットされるターンテーブル５１の上方に位置するクランパー４０と、クランパー４０を保持するクランパー保持部３２と、を備える。また、クランパー保持部３２を上方から覆うよう固定されるトップケース２０と、クランパー４０との間には弾性部材７０が介在している。【選択図】図３
2015149109.tif 000002
【特許請求の範囲】
【請求項１】
光ディスクがセットされるターンテーブルを備える光ピックアップユニットと、
前記ターンテーブルの上方に位置するクランパーと、
前記クランパーを保持するクランパー保持部を備えるシャーシと、
前記シャーシを上方から覆うよう固定されるトップケースと、
前記トップケースと前記クランパーとの間に介在する弾性部材と、
前記光ピックアップユニットを昇降させて、前記ターンテーブルにセットされた前記光ディスクを前記ターンテーブルと前記クランパーとで挟ませる昇降部と、を有することを特徴とする光ディスクドライブ装置。
【請求項２】
前記弾性部材は、ツルマキばねであって、
前記トップケースは、前記ツルマキばねの一端を位置決めする位置決め部を備える、ことを特徴とする請求項１に記載の光ディスクドライブ装置。
【請求項３】
前記弾性部材は、ツルマキばねであって、
前記クランパーは、前記ツルマキばねの一端を位置決めする位置決め部を備える、ことを特徴とする請求項１に記載の光ディスクドライブ装置。
【請求項４】
前記ツルマキばねの巻き方向は、前記ターンテーブルの回転方向に沿っている、ことを特徴とする請求項２または請求項３のいずれかに記載の光ディスクドライブ装置。
【請求項５】
前記トップケースは、前記クランパーの動きを規制するよう裏面から延設する規制リブを備える、ことを特徴とする請求項１から請求項４のいずれか一項に記載の光ディスクドライブ装置。
【請求項６】
前記弾性部材の前記トップケースと接触する側の一端は、前記クランパーと接触する側の他端と比べて径が小さい、ことを特徴とする請求項１から請求項５のいずれか一項に記載の光ディスクドライブ装置。
【請求項７】
前記弾性部材は、前記トップケースと一体で形成されている、ことを特徴とする請求項１に記載の光ディスクドライブ装置。
【発明の詳細な説明】
【技術分野】
【０００１】
本発明は、光ディスクドライブ装置に関し、特に、光ディスクをクランパーとターンテーブルとで保持する光ディスクドライブ装置に関する。
【背景技術】
【０００２】
光ディスクドライブ装置では、ＣＤ（Compact Disc Drive）、ＤＶＤ（Digital Versatile Disk）、ブルーレイディスク（Ｂlu-ray Disk）（ブルーレイディスクは登録商標）等の光ディスクを、ターンテーブルにセットし、セットされた光ディスクに対して光ピックアップから光を照射させて、情報の読み取りや、書き込みを行う。また、光ディスクドライブ装置では、光ディスクをターンテーブルとクランパーにより挟みこみ、光ディスクの位置を保持する。
【０００３】
光ディスクが装置内部で安定的に保持されるため、クランパーの上方から力を加える必要がある。例えば、クランパーの上方に付勢力を与える部材を配置し、このクランパーにターンテーブルに向けた下側の力を与える方法がある。
【０００４】
また、引用文献１には、以下の構成が開示されている。すなわち、引用文献１に記載の光ディスクドライブ装置は、ケースの内側上部に形成され、クランパーを上部に形成された開口から挿入する保持部と、この保持部の開口を覆うカバープレートと、保持部に収容されたクランパーに対して付勢力を付与する弾性部材と、を有する。上記構成の光ディスクドライブ装置では、クランパーと弾性部材とをこの順序で保持部に収容し、保持部の開口をカバープレートにより覆う。そのため、クランパーは、弾性部材により上側からターンテーブルに向けた付勢力を与えられる（例えば、特許文献１参照）。
【先行技術文献】
【特許文献】
【０００５】
【特許文献１】特開２０１３−９３０９３号公報
【発明の概要】
【発明が解決しようとする課題】
【０００６】
光ディスクドライブ装置は、衝撃が加えられた場合でも、適切に駆動できるだけの丈夫さが必要となる。一方で、製品の小型化、薄型化も製品に対するニーズとなっている。しかし、引用文献１のように、ケースの上部に保持部を形成する場合、保持部が下側（ターンテーブル側）に向けて突き出た構成となるため、装置を薄型化すると、保持部と光ディスクとの間のクリアランスが狭くなる。そのため、ケースに大きな衝撃が加えられると、保持部の下端が光ディスクに干渉し、光ディスクやモーターに負荷をかけ、場合によっては、光ディスクドライブ装置の故障の原因となる場合も考えられる。
【０００７】
本発明は、上記課題にかんがみてなされたもので、装置の高さ方向の長さを短くしつつ、製品の頑丈さを一定の基準で満たすことを目的とする。
【課題を解決するための手段】
【０００８】
・適用例１
本発明の一態様では、光ディスクがセットされるターンテーブルを備える光ピックアップユニットと、前記ターンテーブルの上方に位置するクランパーと、前記クランパーを保持するクランパー保持部を備えるシャーシと、前記シャーシを上方から覆うよう固定されるトップケースと、前記トップケースと前記クランパーとの間に介在する弾性部材と、前記光ピックアップユニットを昇降させて、前記ターンテーブルにセットされた前記光ディスクを前記ターンテーブルと前記クランパーとで挟ませる昇降部と、を有する。
【０００９】
上記のように構成された発明では、クランパーは、トップケースとは別体のシャーシに備えられた保持部により保持されている。また、シャーシを上方から覆うよう固定されるトップケースと、クランパーとの間には弾性部材が介在しており、トップケースの裏面により弾性部材をクランパーに向けて押し付け、クランパーにターンテーブルに向けた付勢力を生じさせる。
そのため、装置の高さ方向の長さを短く（薄く）する場合でも、保持部により保持されるクランパーとトップケースの裏面との間に一定のクリアランスを保つことができるため、トップケースに強い衝撃が加わっても、ターンテーブル等に強い衝撃が加わるのを防止することができる。
【００１０】
・適用例２
本発明の一態様では、前記弾性部材は、ツルマキばねであって、前記トップケースは、前記ツルマキばねの一端を位置決めする位置決め部を備える。
上記のように構成された発明では、トップケースの位置決め部を用いてツルマキばねを位置決めした状態で、トップケースを固定することができるため、光ディスクドライブ装置を組み立てやすくすることができる。
【００１１】
・適用例３
本発明の一態様では、前記弾性部材は、ツルマキばねであって、前記クランパーは、前記ツルマキばねの一端を位置決めする位置決め部を備える。
上記のように構成された発明では、クランパーの位置決め部を用いてツルマキばねを位置決めした状態で、トップケースをシャーシに覆うよう固定することができるため、光ディスクドライブ装置を組み立てやすくすることができる。
【００１２】
・適用例４
本発明の一態様では、前記ツルマキばねの巻き方向は、前記ターンテーブルの回転方向に沿っている。
上記のように構成された発明では、ターンテーブルの回転に伴ってクランパーが回転する場合に、ツルマキばねの下側の端部の断面がターンテーブルと干渉するのを抑制し、ターンテーブルに強い負荷を与えない。
【００１３】
・適用例５
本発明の一態様では、前記トップケースは、前記クランパーの動きを規制するよう裏面から延設する規制リブを備える。
上記のように構成された発明では、光ディスクドライブ装置に衝撃が加わり、クランパーが動いた場合でも、規制リブがクランパーの動きを規制することで、クランパーの位置がずれるのを防止することができる。
【００１４】
・適用例６
本発明の一態様では、前記弾性部材の前記トップケースと接触する側の一端は、前記クランパーと接触する側の他端と比べて径が小さい。
上記のように構成された発明では、弾性部材とトップケースとの間の摩擦抵抗を弾性部材とターンテーブルとの間の摩擦抵抗と比べて小さくすることができ、ターンテーブルの回転に強い負荷を与えない。
【００１５】
・適用例７
本発明の一態様では、前記弾性部材は、前記トップケースと一体で形成されている。
上記のように構成された発明では、弾性部材とトップケースとが一体となっているため、部品点数を減らして組み付けに要する負荷を低減することができる。
【図面の簡単な説明】
【００１６】
【図１】一例としての光ディスクドライブ装置の外観図。
【図２】一例としての光ディスクドライブ装置の分解図。
【図３】一例としての光ディスクドライブ装置の一部断面図。
【図４】第２の実施形態にかかる光ディスクドライブ装置１０の一部断面図を示す図。
【図５】第３の実施形態にかかる光ディスクドライブ装置１０の一部断面図を示す図。
【図６】第４の実施形態にかかる光ディスクドライブ装置１０の一部断面図を示す図。
【発明を実施するための形態】
【００１７】
以下、下記の順序に従って本発明の実施形態を説明する。
１．第１の実施形態：
２．第２の実施形態：
３．第３の実施形態：
４．第４の実施形態：
５．その他の実施形態：
【００１８】
１．第１の実施形態：
図１は、一例としての光ディスクドライブ装置の外観図である。
図１に示す光ディスクドライブ装置１０は、筺体を構成するトップケース２０とボトムケース２５と、筺体の前部からスライド可能に固定されたトレイ３５とを有する。光ディスクドライブ装置１０は、トレイ３５に光ディスクをセットし、トレイ３５を装置内部に引き入れることで、光ディスクに記録された情報の読み出し、または光ディスクに対して情報の書き込みを行う。また、読み取った情報は図示しないケーブルを通じて出力する。
【００１９】
ここで、光ディスクとしては、ＣＤ（Compact Disc Drive）、ＤＶＤ（Digital Versatile Disk）、ブルーレイディスク（Ｂlu-ray Disk：登録商標）等を対象としている。
また、以下の説明では、トレイ３５が引き出される側を「前方」、トレイ３５が収容される側を「後方」とも記載する。
【００２０】
図２は、一例としての光ディスクドライブ装置の分解図である。また、図３は、一例としての光ディスクドライブ装置の一部断面図である。図３は、図１におけるＡ−Ａ線における断面図である。
【００２１】
図２に示すように、光ディスクドライブ装置１０のトップケース２０、ボトムケース２５の内部には、光ピックアップユニット５０と、シャーシ３０と、クランパー４０と、昇降部６０と、を備えている。
【００２２】
光ピックアップユニット５０は、光ディスク１００がセットされるターンテーブル５１、光ピックアップ５２、光ピックアップ５２を第１方向Ｄ１にスライド可能に保持する主軸５３および副軸５４、スクリューモーター５５、スクリューモーター５５の回転軸と噛み合い、光ピックアップ５２を第１方向Ｄ１にスライドさせるティース５６、ターンテーブル５１を回転させるスピンドルモーター５７（図３）、昇降部６０と嵌合する嵌合突部５８、を備える。
【００２３】
ターンテーブル５１は、スピンドルモーター５７（図３）の回転軸と接続されており、このスピンドルモーター５７の回転により、セットされた光ディスク１００を回転させる。スピンドルモーター５７は、例えば、ＤＣモーターや、ステッピングモーターである。
【００２４】
光ピックアップ５２は、光学式のピックアップヘッドであり、図示しない、半導体レーザー、光学部品、さらには、反射光をもとにデジタル情報を生成する制御基板、を備えている。また、光ピックアップ５２は、第２方向Ｄ２の両側に、主軸５３および副軸５４を介してスライド可能に保持されている。また、光ピックアップ５２は、ティース５６を介して、スクリューモーター５５の回転軸と接続されている。そのため、スクリューモーター５５の回転に伴って、ティース５６が第１方向Ｄ１にスライドすることで、光ピックアップ５２をトラッキング方向に移動させる。
例えば、スクリューモーター５５は、ＤＣモーターや、ステッピングモーターである。
【００２５】
シャーシ３０は、光ピックアップユニット５０を収容する基部３１と、クランパー４０を光ピックアップ５２のターンテーブル５１と対向する位置に保持するクランパー保持部３２と、を有する。例えば、シャーシ３０は、樹脂により構成され、基部３１とクランパー保持部３２とは一体で成形されている。
【００２６】
基部３１は、上部の一部が開口する箱型形状であって、光ピックアップユニット５０を収容する収容空間３３を有する。また、基部３１の上部には、クランパー保持部３２が形成されている。このクランパー保持部３２は、基部３１の第２方向の両壁部をブリッジ状に渡す片により形成されている。
【００２７】
また、図３に示すように、クランパー保持部３２には、クランパー４０を収容する凹部であるクランパー収容部３４が形成されている。クランパー収容部３４は、クランパー４０の外径と比べて大きい内径を持つ筒部３４ａと、この筒部３４ａの下部に形成されクランパー４０の外周と比べて小さい内径を持つリブ３４ｂと、を有する。クランパー４０をクランパー収容部３４に収容することで、クランパー４０の下側の外周縁部がリブ３４ｂの上部に載置される。そのため、クランパー４０は、第１方向Ｄ１および第２方向Ｄ２で形成される面で回転可能にクランパー保持部３２に保持される。
【００２８】
そして、クランパー保持部３２に収容されたクランパー４０と、クランパー保持部３２の上方（第３方向Ｄ３の上方）に位置するトップケース２０との間には、弾性部材７０が介在している。弾性部材７０は、クランパー４０に対してターンテーブル５１に向けた付勢力を付与する。
この第１の実施形態では、弾性部材７０は、ツルマキばね７１により構成されている。
【００２９】
ツルマキばね７１は上側の端７１ａがトップケース２０と接し、下側の他端７１ｂがクランパー４０の上面と接している。この第１の実施形態では、ツルマキばね７１のばね加重は、１．２〜２．０ニュートン（Ｎ）である。また、ツルマキばね７１の巻き方向は、ターンテーブル５１の回転方向と同じ向きとなっている。そのため、クランパー４０がターンテーブル５１とともに回転しても、ツルマキばねの端部の断面がクランパー４０と干渉するのを抑制し、ターンテーブル５１の回転に強い負荷を与えない。
【００３０】
また、図３に示すように、トップケース２０の裏面２１には、ツルマキばね７１を位置決めするための位置決め部として機能する突部２２が延設している。この第１の実施形態では、ツルマキばね７１の上側の端７１ａは突部２２を用いてトップケース２０に位置決めされており、下側の他端７１ｂはクランパー４０に位置決めされず、フリーになっている。この第１の実施形態では、突部２２は横断面が円形のボスにより構成され、突部２２の外径は、ツルマキばね７１の上側の端７１ａの内径と同じか、多少大きい寸法である。上記構成とすることで、ツルマキばね７１の上側の端７１ａをトップケース２０に固定した状態で、トップケース２０をシャーシ３０に固定することができ、組み付けを容易にすることができる。
【００３１】
そして、この第１の実施形態では、トップケース２０の裏面２１には、クランパー４０の脱落を防止する規制リブ２３が形成されている。この第１の実施形態では、規制リブ２３は、トップケース２０の裏面２１から円状に所定長だけ延設している。また、規制リブ２３の外径は、クランパー収容部３４の筒部３４ａの内径と比べて小さく、クランパー収容部３４の内部に納まっている。また、規制リブ２３の内径は、ツルマキばね７１の外径と比べて大きい構成である。上記構成とすることで、光ディスクドライブ装置１０に衝撃が加わり、クランパー４０が動いた場合でも、規制リブ２３がクランパー４０の動きを規制するため、クランパー４０がクランパー収容部３４の外に出ることを防止することができる。
ここで、規制リブ２３を裏面２１から円状に延設させることは一例に過ぎず、規制リブ２３を、裏面２１から円弧状に延設させたり、不連続に延設させるものであってもよい。
【００３２】
そして、図２に戻り、シャーシ３０の内部前方には、光ピックアップユニット５０を昇降（第３方向Ｄ３にスライド）させる昇降部６０を有している。この第１の実施形態では、昇降部６０は、カムスライダー６１と、カムスライダー６１を第２方向Ｄ２にスライドさせる動力を与える動力プーリー（図示しない）とを有する。
カムスライダー６１は、光ピックアップユニット５０の嵌合突部５８が挿入して嵌合する溝が形成されている。この溝は、横方向（第２方向Ｄ２）に伸びるとともに、第２方向Ｄ２における両端の高さ（第３方向Ｄ３）が変化するよう構成されている。そのため、カムスライダー６１の溝に光ピックアップユニット５０の嵌合突部５８を嵌合させた状態で、動力プーリーを駆動させてカムスライダー６１をスライドさせると、光ピックアップユニット５０の高さが変化し、昇降が行われる。
【００３３】
次に、上記構成の光ピックアップユニット５０の動作を説明する。
【００３４】
まず、ユーザーがトレイ３５に光ディスク１００をセットすると、光ディスクドライブ装置１０は、トレイ３５を装置内部に引き入れる。そして、光ディスクドライブ装置１０は、昇降部６０であるカムスライダー６１を第２方向Ｄ２にスライドさせて、光ピックアップユニット５０を昇降（第３方向Ｄ３にスライド）させる。
【００３５】
ここで、ターンテーブル５１の上方には、クランパー保持部３２により保持されたクランパー４０が位置しており、光ピックアップユニット５０の昇降により、光ディスク１００をクランパー４０とターンテーブル５１とで挟みこむ。また、クランパー４０とトップケース２０との間には弾性部材７０（ツルマキばね７１）が位置しているため、クランパー４０はターンテーブル５１に対して付勢力を生じさせる。そのため、光ピックアップユニット５０の昇降により、クランパー４０が光ディスク１００に対して下側（ターンテーブル５１側）の力を生じさせ、光ディスク１００をクランパー４０とターンテーブル５１とでチャッキングする。
【００３６】
次に、光ディスクドライブ装置１０は、スピンドルモーター５７を駆動させ、光ディスク１００を回転させる。また、光ディスクドライブ装置１０は、光ピックアップ５２の図示しない半導体レーザーから照射された光を、対物レンズで集光させて、光ディスク１００のトラックに照射する。そして、光ピックアップユニット５０は、光ピックアップ５２に、光ディスク１００からの反射光を受光させ、この反射光の受光量をもとに情報を読み取る。
【００３７】
また、光ピックアップユニット５０は、光ピックアップ５２と光ディスク１００との距離が所定の位置となるようフォーカス制御を行い、また、光ピックアップ５２が光メディアのトラックに追従するようトラッキング制御を行う。
フォーカス制御では、光ピックアップユニット５０は、図示しないフォーカスモーターを駆動し、光ピックアップ５２をフォーカス方向（第３方向Ｄ３に平行な方向）に移動させる。また、トラッキング制御では、スクリューモーター５５の回転によりティース５６を駆動し、光ピックアップ５２をトラッキング方向（第１方向Ｄ１に平行な方向）に移動させる。
【００３８】
そして、光ディスクドライブ装置１０は、光ディスク１００から読み取った情報を図示しないケーブルを通して出力する。
【００３９】
以上、説明したようにこの第１の実施形態にかかる光ディスクドライブ装置１０では、以下の効果を奏する。
（１）光ディスク１００をターンテーブル５１とともに保持するクランパー４０は、トップケース２０とは別体のクランパー保持部３２により保持されている。また、トップケース２０と、クランパー４０との間には弾性部材７０が介在しており、トップケース２０の裏面により弾性部材７０をクランパー４０に向けて押し付け、クランパー４０に対して下側（第３方向Ｄ３のターンテーブル５１の方向）に付勢力を与える。そのため、光ディスクドライブ装置１０の高さ方向の寸法を短くした場合でも、トップケース２０の裏面２１とクランパー４０との間に一定のクリアランスを保つことができる。すなわち、トップケース２０に対して強い衝撃が加わった場合でも、トップケース２０とクランパー４０との間に設けられたクリアランスにより衝撃を吸収し、ターンテーブル５１やスピンドルモーター５７に強い力が加わるのを抑制することができる。
【００４０】
（２）また、トップケース２０にクランパー４０を保持するための分割構造を備えないため、トップケース２０に強い衝撃が加わった場合でも、トップケース２０を破損させない。
【００４１】
２．第２の実施形態：
図４は、第２の実施形態にかかる光ディスクドライブ装置１０の一部断面図を示す図である。この第２の実施形態では、弾性部材７０として機能するツルマキばねの形状が第１の実施形態と比べて異なる。なお、第１の実施形態と同じ符号を付した箇所は、同じものであり、その説明は省略する。
【００４２】
図４に示す、一例として示すツルマキばね７２では、下側の径が上側の径と比べて大きい円錐形状となっている。すなわち、クランパー４０と接触するツルマキばね７２の下側の端７２ｂの径は、トップケース２０と接触する上側の端７２ａの径と比べて小さくなっている。また、この第２の実施形態においても、ツルマキばね７２の上側の端７２ａは、トップケース２０から延設する突部２２により位置決め固定され、下側の端７２ｂは、クランパー４０に対してフリーになっている。
【００４３】
上記のように構成することで、第１の実施形態に示す効果に加えて以下の効果を奏する。すなわち、ツルマキばね７２の下側の端７２ｂとターンテーブル５１との間の摩擦抵抗をツルマキばね７２の上側の端７２ａとトップケース２０との間の摩擦抵抗と比べて小さくすることができ、ターンテーブル５１の回転に強い負荷を生じさせない。
ここで、ツルマキばね７２がターンテーブル５１に位置決め固定されている場合は、トップケース２０と接触する上側の端７２ａの径を、クランパー４０と接触する下側の端７２ｂの径と比べて小さくするものであってもよい。すなわち、弾性部材７０として機能するツルマキばね７２は、図４で示したものと上下が反対となる。
【００４４】
３．第３の実施形態：
弾性部材７０をクランパー４０に位置決め固定するものであってもよい。
図５は、第３の実施形態にかかる光ディスクドライブ装置１０の一部断面図を示す図である。なお、第１の実施形態と同じ符号を付した箇所は、同じものであり、その説明は省略する。
【００４５】
図５に示すように、この第３の実施形態では、クランパー４０は、ツルマキばね７１の下側の端７１ｂを位置決め固定する位置決め部として機能する突部４１が形成されている。例えば、突部４１は横断面が円状のボスであり、突部４１の外径は、ツルマキばね７１の内径と同寸か少し大きい。一方、この第３の実施形態では、ツルマキばね７１の上側の端７１ａは、トップケース２０の裏面２１に対して位置決めされておらず、フリーになっている。
【００４６】
上記のように構成することで、第１の実施形態に示す効果に加えて以下の効果を奏する。すなわち、光ディスクドライブ装置１０の組み付け時において、作業者は、クランパー４０の突部４１にツルマキばね７１を位置決め固定した後、トップケース２０をクランパー４０の上方を覆うよう固定することができる。即ち、組み付け時に、ツルマキばね７１を確実に、トップケース２０とクランパー４０との間に位置させることができる。
【００４７】
４．第４の実施形態：
弾性部材７０をツルマキばねにより実現することは一例に過ぎず、クランパー４０に下向きの付勢力を与えるものであればどのようなものであってもよい。
図６は、第４の実施形態にかかる光ディスクドライブ装置１０の一部断面図を示す図である。なお、第１の実施形態と同じ符号を付した箇所は、同じものであり、その説明は省略する。
【００４８】
図６に示す光ディスクドライブ装置１０では、弾性部材７０はトップケース２０と一体で形成されている。すなわち、トップケース２０の裏面２１から弾性部材７０として機能する薄肉片７３を下向きに延設させている。そのため、光ピックアップユニット５０が昇降し、クランパー４０が上向きの力で押し上げられた場合、薄肉片７３が弾性変形し、クランパー４０に対して下向きの付勢力を生じさせる。ここで、薄肉片７３の厚みは、トップケース２０の厚みと比べて薄いことが望ましいが、必要とする付勢力に応じて適宜変更可能である。
【００４９】
上記のように構成することで、第１の実施形態に示す効果に加えて以下の効果を奏する。すなわち、弾性部材としてばねのような別部材を用いる必要がないため、部品点数を少なくして、光ディスクドライブ装置１０の組み付けにかかる負担を軽減することができる。
【００５０】
５．その他の実施形態：
光ディスクドライブ装置１０は、トレイ型のものに限定されない。トレイ３５を有さず、前部に形成された挿入口に光ディスクを挿入するスロットローディング型の構成であってもよい。
【００５１】
位置決め部として突部を用いたことは一例に過ぎない。例えば、弾性部材としてのツルマキばねを、フックを用いて位置決めするものであってもよい。
そして、弾性部材としては、上記実施形態に示したもの以外にも、ゴムなどの樹脂を用いるものであってもよい。
【００５２】
また、光ディスクドライブ装置１０は、ボトムケース２５を備えず、トップケース２０のみを有するものであってもよい。
【００５３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５４】
１０…光ディスクドライブ装置、２０…トップケース、２１…裏面、２２…突部、２３…規制リブ、２５…ボトムケース、３０…シャーシ、３１…基部、３２…クランパー保持部、３４…クランパー収容部、３４ａ…筒部、３４ｂ…リブ、３５…トレイ、４０…クランパー、４１…突部、５０…光ピックアップユニット、５１…ターンテーブル、５２…光ピックアップ、５３…主軸、５４…副軸、５５…スクリューモーター、５６…ティース、５７…スピンドルモーター、５８…嵌合突部、６０…昇降部、６１…カムスライダー、７０…弾性部材、１００…光ディスク
【図１】
2015149109.tif 000003
【図２】
2015149109.tif 000004
【図３】
2015149109.tif 000005
【図４】
2015149109.tif 000006
【図５】
2015149109.tif 000007
【図６】
2015149109.tif 000008